(57)【要約】【課題】  車両用ナビゲーション装置における名称検索機能の使い勝手を向上させる。【解決手段】  本発明に係る車両用ナビゲーション装置は、地図データベースを用いて自車の現在位置から所定の目的地までの走行経路の計画を行い、この走行経路に基づいて自車の経路誘導を行う車両用ナビゲーション装置であって、検索を希望する施設名を入力することにより、その施設を検索可能な検索手段と、前記検索手段により検索された複数の施設を、自車の現在位置から近い順に並べて表示する表示手段とを有している。【選択図】      図１
2005274414.tif 000002
【特許請求の範囲】
【請求項１】
地図データベースを用いて自車の現在位置から所定の目的地までの走行経路の計画を行い、この走行経路に基づいて自車の経路誘導を行う車両用ナビゲーション装置であって、
検索を希望する施設名を入力することにより、その施設を検索可能な検索手段と、
前記検索手段により検索された複数の施設を、自車の現在位置から近い順に並べて表示する表示手段と、
を有することを特徴とする車両用ナビゲーション装置。
【請求項２】
請求項１に記載の車両用ナビゲーション装置であって、
表示手段は、自車の現在位置から各々の施設までの距離を表示可能な構成であることを特徴とする車両用ナビゲーション装置。
【請求項３】
請求項２に記載の車両用ナビゲーション装置であって、
表示手段は、自車の現在位置から各々の前記施設まで、渋滞していない道を通った場合の距離を表示可能な構成であることを特徴とする車両用ナビゲーション装置。
【請求項４】
請求項１から請求項３のいずれかに記載された車両用ナビゲーション装置であって、
表示手段は、各々の施設に到達する予定時間を表示可能な構成であることを特徴とする車両用ナビゲーション装置。
【発明の詳細な説明】
【技術分野】
【０００１】
本発明は、地図データベースを用いて自車の現在位置から所定の目的地までの走行経路の計画を行い、この走行経路に基づいて自車の経路誘導を行う車両用ナビゲーション装置に関する。
【背景技術】
【０００２】
近年、不案内な土地での自動車走行を支援するために、ナビゲーション装置が自動車に搭載されるようになっている（特許文献１）。
前記ナビゲーション装置において目的地を入力する場合、モニタに表示された地図上で直接的に目的地を入力したり、住所や電話番号あるいは名称検索手段により希望する施設を検索し、その検索結果に基づいて目的地を入力する場合がある。
目的地（施設名）が入力されると、自車の現在位置から目的地までの走行経路が計画され、この走行経路に基づいて自車の経路誘導が行われようになる。
【０００３】
【特許文献１】特開平７−８３６７７号公報
【発明の開示】
【発明が解決しようとする課題】
【０００４】
一般的にナビゲーション装置は膨大な地域情報を記憶しているため、名称検索を行うと検索結果として同じ名称の施設名が複数リストアップされる場合が多い。特に、コンビニやガソリンスタンド等は全国的なチェーン店が多いため、リストアップされる施設名（店名）の数も膨大になる。一般的には、市町村毎に検索エリアを絞込んで検索を行うがそれでもリストアップされる店名は多い。例えば、ドライブ中にコンビニに立ち寄るために名称検索を行った結果、多数の店名がリストアップされると、どの店を選択するか判断に困る場合がある。特に、現在走行中の市町村名がはっきり分からない場合等は、市町村毎の絞込み検索を正確に行うことができず、最寄りのコンビニ店を表示できない場合もある。即ち、名称検索機能そのものは優れたものであっても、ユーザが検索結果を有効に活用できないという問題がある。
【０００５】
本発明は、上記問題点を解決するためになされたものであり、本発明が解決しようとする課題は、検索結果を有効に活用できるようにして、名称検索機能の使い勝手を向上させることである。
【課題を解決するための手段】
【０００６】
上記した課題は、各請求項の発明によって解決される。
請求項１の発明は、地図データベースを用いて自車の現在位置から所定の目的地までの走行経路の計画を行い、この走行経路に基づいて自車の経路誘導を行う車両用ナビゲーション装置であって、検索を希望する施設名を入力することにより、その施設を検索可能な検索手段と、前記検索手段により検索された複数の施設を、自車の現在位置から近い順に並べて表示する表示手段とを有することを特徴とする。
【０００７】
本発明によると、検索手段により検索された複数の施設名が自車の現在位置から近い順に並べて表示される。このため、例えば、コンビニやガソリンスタンド等、検索結果として多数の店名（施設名）が表示された場合でも、最も近い店を目的地として選択できる。このため、検索結果のいずれを選択したら良いのか迷うことなく、名称検索機能の使い勝手が向上する。特に、市町村名での絞込みが困難で多数の店名が表示された場合等にその利点が大きい。
【０００８】
請求項２の発明によると、表示手段は、自車の現在位置から各々の施設までの距離を表示可能な構成である。このため、各々の施設への到達時間を予測できるようになる。
請求項３の発明によると、表示手段は、自車の現在位置から各々の前記施設まで、渋滞していない道を通った場合の距離を表示可能な構成であることを特徴とする。このため、目的の施設まで最短時間で到達できるようになる。
また、請求項４の発明に示すように、表示手段は、各々の施設に到達する予定時間を表示可能な構成であるのが好ましい。
【発明の効果】
【０００９】
本発明によると、検索結果を有効に活用できるようになり、名称検索機能の使い勝手が向上する。
【発明を実施するための最良の形態】
【００１０】
以下、図１〜図３に基づいて、本発明の実施形態１に係る車両用ナビゲーション装置の説明を行う。ここで、図１は本実施形態に係る車両用ナビゲーション装置における５０音検索動作の手順を表すフローチャート、図２は前記ナビゲーション装置における検索結果の表示例を表す図面、図３はナビゲーション装置の模式構成図である。
図３に示すように、本実施形態に係るナビゲーション装置１０は、自車の現在位置を認識するためのＧＰＳ受信部１２と、地図データや地域情報を記憶するとともに、経路計画、経路誘導等を実行する制御部１４と、モニタやタッチパネル等を有する入出力部１６とから構成されている。このため、乗員は入出力部１６を操作することで、制御部１４を作動させ、希望する施設の検索や目的地の設定等を行えるようになる。
【００１１】
希望する施設を検索する方法として、電話番号や住所等による検索の他、５０音検索（名称検索）が行われる。５０音検索は、希望する施設名をタッチパネルにより入力して検索する方法であり、市町村名を併せて入力することで検索エリアを絞り込むことが可能である。
名称検索の結果、リストアップされた複数の施設から１つを選んでそれを目的地として入力すると、自車の現在位置から目的地までの走行経路が制御部１４において計画され、この走行経路に基づいて自車の経路誘導が行われようになる。
【００１２】
上記ナビゲーション装置１０では、図１のフローチャートに基づいて、５０音検索が実行される。なお、図１のフローチャートは制御部１４に設けられたＣＰＵにより実行される。
乗員が入出力部１６のタッチパネルにより希望する施設名を入力すると、ステップＳ１０１の判断がＹＥＳとなり、制御部１４で入力された施設が検索される（ステップＳ１０２）。例えば、コンビニを探すのに施設名として「コンビニＫ」、市町村名として「Ｃ市」と入力した場合、図２に示すように、Ｃ市にある全てのコンビニＫ店が自車の現在位置から近い順にモニタ表示される。さらに、表示された各店から自車の現在位置までの距離が、それぞれの店名の脇に表示される（ステップＳ１０３）。
【００１３】
これによって、検索結果として多数の店名（施設名）が表示された場合でも、最も近い店を目的地として選択できる。このため、いずれの店を選択したら良いのか迷うようなことがなく、５０音検索機能の使い勝手が向上する。特に、旅行等で地理不案内な地域を移動している場合等は、市町村名で検索エリアの絞込みが困難であり、多数の店名が表示される場合がある。このように、多数の店名が表示された場合に、その利点が大きい。
即ち、入出力部１６のタッチパネル等及び制御部１４が本発明の検索手段に相当し、入出力部１６のモニタが本発明の表示手段に相当する。
【００１４】
ここで、表示された各店から自車の現在位置までの距離は、渋滞していない道を利用した場合の距離を表示するのが好ましい。このようにすることで、最短時間で到達できる店を選択できるようになり、使い勝手がさらに向上する。
また、各店に到達する予定時間を表示できるようにすれば、さらに使い易くなる。
【００１５】
なお、本実施形態に係るナビゲーション装置１０では、タッチパネル操作による５０音検索に本発明を適用した例を示したが、音声による検索に本発明を適用することも可能である。
また、本実施形態に係るナビゲーション装置１０では、検索結果を全てリストアップする例を示したが、検索結果の表示数を制限することも可能である。
【図面の簡単な説明】
【００１６】
【図１】本発明の実施形態１に係る車両用ナビゲーション装置の動作を表すフローチャートである。
【図２】ナビゲーション装置における検索結果の表示例を表す図面である。
【図３】ナビゲーション装置の模式構成図である。
【符号の説明】
【００１７】
１０    ナビゲーション装置
１２    ＧＰＳ受信部
１４    制御部（検索手段、表示手段）
１６    入出力部（検索手段）
【図１】
2005274414.tif 000003
【図２】
2005274414.tif 000004
【図３】
2005274414.tif 000005